(57)【要約】      （修正有）【課題】  閉鎖性水域の内湾の富栄養化で、水質汚濁が進み、漁業被害が多発している。この被害発生は、人為的な富栄養化の水質汚濁が主因であり、漁業被害の軽減には、水質改善が急務である。このためには干潟の土質改良による浄化機能強化、既存の沈殿物スカム分解促進、赤潮の解消による総合的なプロセスが課題になる。【解決手段】  自然との共生を主眼に、バイオマス材を活用する。バイオマス材の作用は、スローであるが、確実であり、副作用の発生がないものである。  干潟の土質改良による浄化機能強化は、炭ベルトラインＣＢＲの施設、既存の沈殿物スカムＳの分解促進は、機能性炭化水質浄化材ＦＣＷＲの集中的な設置および竹炭Ｃ２・チップＣ３等の散布。赤潮ＲＴの解消は、燻炭Ｃ１・竹炭Ｃ２・チップＣ３等に植物プランクトンを吸着し、炭Ｃの熱吸収と太陽光線による熱破壊処理。赤潮ＲＴの解消による青潮ＢＴの抑制の総合的な水質改善のプロセスを提供する。【選択図】  図４
2006043671.tif 000002
【特許請求の範囲】
【請求項１】
干潟の土質改良において、バイオマス材の燻炭Ｃ１・竹炭Ｃ２・チップＣ３等を炭ベルトラインＣＢＲとして、網目状ＳＮに施設し、炭Ｃの比表面積の空隙率のステージによる微生物の浄化機能強化および炭ベルトラインＣＢＲの流動で凹凸の表面形状により有機物を吸着し、炭Ｃの太陽光線の熱吸収と熱破壊処理により干潟の土質改良をする浄化機能強化システム。
【請求項２】
沈殿物スカムＳの分解において、アンカーロープＡＲにより誘導された網袋ＮＢに内在したバイオマス材が主体の機能性炭化水質浄化材ＦＣＷＲを、スカムＳに集中的に施工し、機能性炭化水質浄化材ＦＣＷＲは、水中で解れて燻炭Ｃ１を分散、醤油粕ＮＳの納豆菌Ｎが、過酸化カルシウムより酸素「Ｃａ（ＯＨ）２＋Ｈ２Ｏ→Ｃａ（ＯＨ）２＋１／２Ｏ２↑」補給を受けて、燻炭Ｃ１に絡みスカムＳに吸着し、納豆菌Ｎの有機物集合の特性と燻炭Ｃ１の表面形状による吸付きで分解促進、竹炭Ｃ２・チップＣ３等の水質浄化、粘土ＣＬが微生物の媒体する沈殿物スカムの分解促進システム。
【請求項３】
機能性炭化水質浄化材ＦＣＷＲの形成は、中心部に石灰肥料で魚毒性Ａの過酸化カルシウムＣａ（ＯＨ）２、周りに納豆菌Ｎを増殖した醤油粕ＮＳ、この外周を粘土ＣＬで固化し、水溶性糊Ｇと燻炭Ｃ１により整形する製造方法。
【請求項４】
赤潮ＲＴの解消において、バイオマス材の燻炭Ｃ１・竹炭Ｃ２・チップＣ３等を、空中散布し、炭Ｃの持つ凹凸の表面形状により、植物プランクトンを吸着させて、炭Ｃの熱吸収と太陽光線による熱破壊処すると共に、潮流により分散を図る赤潮の解消システム。
【請求項５】
栽培漁業の養殖における赤潮ＲＴの漁業被害において、魚毒性Ａの過酸化カルシウムＣａ（ＯＨ）２と納豆菌Ｎを増殖した醤油粕ＮＳの混合剤を散布、過酸化カルシウムにより酸素「Ｃａ（ＯＨ）２＋Ｈ２Ｏ→Ｃａ（ＯＨ）２＋１／２Ｏ２↑」補給と納豆菌Ｎで植物プランクトンを寄せ集めることにより、赤潮ＲＴを縮小して、養殖魚のエラ呼吸を助け、漁業被害を軽減するシステム。
【請求項６】
過酸化カルシウムＣａ（ＯＨ）２と納豆菌Ｎを増殖した醤油粕ＮＳの混合剤は、納豆菌Ｎを常温で醤油粕ＮＳの粉剤に添加して発酵増殖・乾燥させ、粉剤の過酸化カルシウムＣａ（ＯＨ）２と混合する製造方法。
【請求項７】
水質汚濁、赤潮ＲＴを縮小しきれずに青潮ＢＴの発生において、魚毒性Ａの過酸化カルシウムＣａ（ＯＨ）２とバイオマス材の燻炭Ｃ１・竹炭Ｃ２・チップＣ３等の混合剤を散布、炭Ｃにより水質浄化をすると共に、過酸化カルシウムの酸素「Ｃａ（ＯＨ）２＋Ｈ２Ｏ→Ｃａ（ＯＨ）２＋１／２Ｏ２↑」補給し、酸素欠乏の水域を解消して、魚貝類被害を軽減するシステム。
【請求項８】
過酸化カルシウムＣａ（ＯＨ）２とバイオマス材の燻炭Ｃ１・竹炭Ｃ２・チップＣ３等の混合剤は、乾燥させた燻炭Ｃ１・竹炭Ｃ２・チップＣ３等の微粉炭に過酸化カルシウムＣａ（ＯＨ）２の粉剤を混合する製造方法。
【発明の詳細な説明】
【発明が属する技術分野】
【０００１】  本発明は、閉鎖性水域の内湾における水質改善に関する。特に、干潟の土質改良よる浄化機能強化、沈殿物スカム分解促進、赤潮の解消による青潮の抑制による漁業被害軽減プロセスに関する。
【背景技術】
【０００２】  近年、閉鎖性水域の内湾の富栄養化で水質汚濁が進み、赤潮の発生で漁業被害、赤潮の誘発による酸欠の青潮で、各種の魚貝類被害が多発している。閉鎖性水域の内湾の漁業被害は、多くの理由があるが、人為的な富栄養化の水質汚濁が主因であり、漁業被害の軽減には、水質改善が急務である。【０００３】  技術的に単発の様々な提案があるが、内湾の広大な水域の水質改善は並大抵のプロセスでは不可能である。また、酢酸セルロース等の水質浄化剤が提案されているが、対コロナ性および海水よる分解反応に不明な要素があり、化学薬物投与による水質改善は、自然との共生に、検討する必要がある。
【発明が解決しようとする課題】
【０００４】  漁業被害の軽減の水質改善は、総合的なプロセスで、水質汚濁の発生源である家庭の雑排水を地域社会的に浄化を推進すると共に、干潟の土質改良による浄化機能強化および既存の沈殿物スカム分解促進する必要がある。この干潟の浄化機能強化、沈殿物スカム分解、赤潮の解消による青潮の抑制が、水質改善のプロセスであり、漁業被害の発生を抑えるものと考察する。
【０００５】  本発明は、干潟の土質改良による浄化機能強化、既存の沈殿物スカム分解促進、これらと共に赤潮を解消による青潮の抑制で、水質改善を行う総合的なプロセスを提供する。
【課題を解決するための手段】
【０００６】  本発明は、自然との共生を主眼に、バイオマス材を活用するものである。微量の化学薬物投与でも、蓄積することにより、思わぬ副作用を招く恐れがあるので、使用すべきではないものと考察する。バイオマス材の作用は、スローであるが、確実であり、自然との共生をする。
【０００７】  本発明の干潟の土質改良による浄化機能強化システムは、バイオマス材の炭ベルトラインの施設により図るものである。
【０００８】  本発明の既存の沈殿物スカムの分解促進システムは、バイオマス材が主体の機能性炭化水質浄化材の集中的な設置および竹炭・チップ等の散布により図るものである。
【０００９】  本発明の赤潮の解消システムは、バイオマス材の籾殻を蒸し焼きした燻炭および竹炭・チップ等を散布し、燻炭・竹炭・チップ等に、植物プランクトンを吸着させて、炭の熱吸収と太陽光線による熱破壊処理すると共に、潮流により分散を図るものである。このことにより、自ずと青潮は抑制される。
【００１０】  青潮は、比較的浅い海で、多量の赤潮の植物プランクトンの分解過程において、酸素欠乏の水域および水流によるものであり、赤潮を早期に解消または縮小させれば、自ずと青潮は抑制される。
【００１１】  これらのことにより、本発明は、水質改善を図り、漁業被害を軽減するものである。
【発明の効果】
【００１２】  閉鎖性水域の内湾の水質改善は、シチュエーションとステージを考慮して、どの様なシステムをセットするのか、考察する必要がある。  本発明は、自然との共生をするために、バイオマス材を活用し、干潟の土質改良による浄化機能強化、既存の沈殿物スカム分解促進、赤潮を解消による青潮の抑制で、水質改善を総合的にプロデュースするものである。  内湾と言えども広大な水域であり、水質改善には総合的なプロデュースが必要である。このために本発明は、干潟の浄化機能強化、沈殿物スカム分解促進、赤潮の解消に視点をおき、総合的な技術展望を提案し、水質改善を推進して漁業被害を軽減するものである。
【発明を実施するための最良の形態】
【００１３】  閉鎖性水域の内湾は全国各地にあり、そこの干潟は、埋め立てで大幅に縮小し、ベイエリアの人口増加による家庭の雑排水の有機物の分解負荷が増大したため、著しく浄化機能を損失して、今日に至っている。【００１４】  干潟の浄化機能の損失は、長年において、雑排水の未分解の有機物が土質に被覆し、二枚貝・ゴカイ等の干潟の生物を生育阻害したことと、好菌性微生物の活動を酸素欠乏で減退させたことなどによる。【００１５】  東京湾、千葉県・三番瀬の干潟再生を想定して説明する。本発明の干潟の土質改良による浄化機能強化システムは、バイオマス材の炭ベルトラインの施設により図るものである。【００１６】  千葉県・三番瀬に、図１に示すとおり、水域の広範に、バイオマス材の炭ベルトラインＣＢＲを施設し、炭ベルトラインＣＢＲは網目状ＳＮに構成する。網目状ＳＮの構成は、バイオマス材の炭でも異物であり、干潟の環境に負荷を軽減するために、大きくインターバルを有して施工するものである。炭は、籾殻を蒸し焼きにした燻炭Ｃ１を主体に、竹炭Ｃ２・林地残材の蒸し焼きチップＣ３等を多種に活用し、浅瀬には形状の小さい燻炭Ｃ１等を施設する。炭ベルトラインＣＢＲは、潮の満ち引きと波の作用を受けて、土質に馴染み、比表面積の空隙率において、微生物の浄化機能のステージを提供し、浄化機能強化を推進する。炭ベルトラインＣＢＲは、波の作用の水流を受け、凹凸の表面形状により有機物を吸着し、燻炭Ｃ１・竹炭Ｃ２・チップＣ３等は、太陽光線の熱吸収と熱破壊処理を促進する。  炭ベルトラインＣＢＲは、小さい形状の燻炭Ｃ１・竹炭Ｃ２・チップＣ３等の群衆であるが、目的意識において、網目状ＳＮに構成し、個々の作用を集合することにより、群衆作用として、作用の集合体を形成する。【００１７】  多摩川の鮎の幼魚が、東京都・御台場の浅瀬で生育されていることが確認されている。この水域の水質改善の炭ベルトラインＣＢＲの施設は、図２に示すとおり、網目に鮎の退避の切れ目Ｋを入れて施工する。【００１８】  長崎県・諫早湾の炭ベルトラインＣＢＲの施設は、図３に示すとおり、潮の満ち引きに順応して、縦のラインは太めに形状の大きい竹炭Ｃ２・チップＣ３等を、横のラインは広く薄く形状の小さい燻炭Ｃ１等を施工する。【００１９】  本発明の炭ベルトラインＣＢＲの施設は、シチュエーションとステージにより、施工形態が選択される。施工形態は、水質汚濁の経過と汚れの状況、地形と水の流れにより考察し、流体力学からの２次災害防止、費用対効果を検討するものである。【００２０】  本発明の炭ベルトラインＣＢＲの施設による干潟の土地改良の浄化機能強化システムは、一度の施工で結果が得られないものである。季節変動と潮の流れに伴い強弱を付けながら年１０数回施工する必要があり、繰り返して施工することで、バイオマス材の炭Ｃは、スローな作用であるが確実な浄化機能し、自然と共生をする。【００２１】  閉鎖性水域の内湾において、地形と潮流の関係で、ある程度の水深に、未分解の有機物の残りカスが沈殿する。この沈殿物が汚泥「スカム」であり、このスカムが、水の汚れの二次的な大きな要因である。スカムは、浮遊している場合と滞積して固形化しつつある場合がある。浮遊しい���スカムは潮流により分散するが、固形化しつつあるスカムは、地形と潮流の関係で、ある程度の水深に沈殿し、分解手段が潮流に流されてスカムに到達しないため、分解処理が困難であり、技術的な課題となっている。【００２２】  本発明は、図４に示すとおり、アンカーロープＡＲにより誘導された網袋ＮＢに内在したバイオマス材が主体の機能性炭化水質浄化材ＦＣＷＲを、スカムＳに集中的に施工し、分解促進する。機能性炭化水質浄化材ＦＣＷＲは、数時間後には崩壊する物であり、アンカーロープＡＲと網袋ＮＢは引き上げて再利用し、コストダウンを図るものである。  竹炭Ｃ２・チップＣ３等は、広範に散布し、水質浄化をするものである。【００２３】  機能性炭化水質浄化材ＦＣＷＲの形成は、図５に示すとおり、中心部に石灰肥料で魚毒性Ａの過酸化カルシウムＣａ（ＯＨ）２、周りに納豆菌Ｎを増殖した醤油粕ＮＳ、この外周を粘土ＣＬで固化し、水溶性糊Ｇと燻炭Ｃ１により整形する。大きさは、野球ボールからバレーボールとする。【００２４】  機能性炭化水質浄化材ＦＣＷＲは、水中で解れて燻炭Ｃ１を分散させながら、醤油粕ＮＳの納豆菌Ｎが、過酸化カルシウムより酸素「Ｃａ（ＯＨ）２＋Ｈ２Ｏ→Ｃａ（ＯＨ）２＋１／２Ｏ２↑」補給を受けて、燻炭Ｃ１に絡みスカムＳに吸着して、分解促進する。これは納豆菌ＮＳの有機質集合の特性と燻炭Ｃ１の表面形状による吸付きで分解促進し、粘土ＣＬが微生物の媒体をする。【００２５】  赤潮は、水質汚濁が主因の植物プランクトンの異常発生である。赤潮が、いつ・どこで・どの様に発生するか、その発生形態が不明確であるため、対処の仕方の選択ができない現状である。また潮流により集積して、赤潮として漂うもので、絶体量が不明である。【００２６】  赤潮の発生予防は水質改善であり、本発明は、干潟の土質改良による浄化機能強化、既存の沈殿物スカム分解促進を推進すると共に、総合的なプロデュースとし、発生してしまった赤潮について、燻炭Ｃ１・竹炭Ｃ２・チップＣ３等を空中散布して、早急に解消することを提案する。【００２７】  本発明は、図６に示すとおり、赤潮ＲＴに、バイオマス材の燻炭Ｃ１・竹炭Ｃ２・チップＣ３等を緊急に空中散布し、炭の持つ凹凸の表面形状により、植物プランクトンを吸着させて、燻炭Ｃ１・竹炭Ｃ２・チップＣ３等の熱吸収と太陽光線による熱破壊処理すると共に、潮流により分散を図るものである。  本発明は、発生してしまった赤潮ＲＴの潮流の動向に沿い、３倍程度のエリアに、燻炭Ｃ１・竹炭Ｃ２・チップＣ３等を数回散布して鎮圧するものである。１回の散布では効果が薄く、数回の散布を重ねることにより増幅効果が発生し、赤潮ＲＴが縮小するものである。【００２８】  本発明は、栽培漁業の養殖における赤潮ＲＴの漁業被害の軽減に、緊急措置として、魚毒性Ａの過酸化カルシウムＣａ（ＯＨ）２と納豆菌Ｎを増殖した醤油粕ＮＳの混合剤を散布する。過酸化カルシウムにより酸素「Ｃａ（ＯＨ）２＋Ｈ２Ｏ→Ｃａ（ＯＨ）２＋１／２Ｏ２↑」補給と納豆菌Ｎで植物プランクトンを寄せ集めることにより、赤潮ＲＴを縮小して、養殖魚のエラ呼吸を助け、漁業被害を軽減するものである。【００２９】  過酸化カルシウムＣａ（ＯＨ）２と納豆菌Ｎを増殖した��油粕ＮＳの混合剤の製法は、納豆菌Ｎを常温で醤油粕ＮＳの粉剤に添加して発酵増殖・乾燥させ、粉剤の過酸化カルシウムＣａ（ＯＨ）２と混合する。混合比率は水質状況によることとする。【００３０】  本発明は、赤潮ＲＴを早急に解消することにより、自ずと青潮ＢＴの発生を防ぎ、漁業被害を軽減するものである。【００３１】  本発明は、水質汚濁、赤潮ＲＴを縮小しきれず青潮ＢＴが発生した場合に、緊急措置として、魚毒性Ａの過酸化カルシウムＣａ（ＯＨ）２とバイオマス材の燻炭Ｃ１・竹炭Ｃ２・チップＣ３等の混合剤を散布する。燻炭Ｃ１・竹炭Ｃ２・チップＣ３等により水質浄化をすると共に、過酸化カルシウムの酸素「Ｃａ（ＯＨ）２＋Ｈ２Ｏ→Ｃａ（ＯＨ）２＋１／２Ｏ２↑」補給し、酸素欠乏の水域を解消して、魚貝類被害を軽減するものである。【００３２】  過酸化カルシウムＣａ（ＯＨ）２とバイオマス材の燻炭Ｃ１・竹炭Ｃ２・チップＣ３等の混合剤の製法は、乾燥させた燻炭Ｃ１・竹炭Ｃ２・チップＣ３等の微粉炭に過酸化カルシウムＣａ（ＯＨ）２の粉剤を混合する。混合比率は、水質状況によるものとする。
【産業上の利用可能性】  宝の海といわれた有明海も死の海となり、江戸前も東京湾となり、漁業被害は、大きな社会問題としてクローズアップされている。漁業被害の軽減には、水質改善が不可欠であり、単発的な提案ではなく、総合的なプロデュースが必要である。  本発明は、水質改善を、総合的にプロデュースするものであり、干潟の土質改良による浄化機能強化、既存の沈殿物スカム分解促進、これらと共に赤潮ＲＴの解消による青潮ＢＴの抑制の技術展望を提案し、漁業被害の軽減に適応するものである。【００３３】  なお、栽培漁業の養殖における赤潮ＲＴの漁業被害の軽減は、ステージとロケーションの根本的な改善が必要である。漁具と器具および機材の徹底的な洗浄と日光消毒および潮流を考慮した位置移動が必要である。一定の水域に、負荷の掛けすぎであり、ステージとロケーションの位置移動と改善が必要であるものと考察する。
【図面の簡単な説明】
【００３４】
【図１】は、千葉県・三番瀬の炭ベルトラインＣＢＲの施工平面図である。
【図２】は、東京都・御台場の炭ベルトラインＣＢＲの施工平面図である。
【図３】は、長崎県・諫早湾の炭ベルトラインＣＢＲの施工平面図である。
【図４】は、アンカーロープＡＲによる機能性炭化水質浄化材ＦＣＷＲの施工断面図である。
【図５】は、機能性炭化水質浄化材ＦＣＷＲの形成断面図である。
【図６】は、赤潮ＲＴの解消の施工断面図である。
【符号の説明】
【００３５】炭ベルトライン            ＣＢＲ網目状                    ＳＮ燻炭                      Ｃ１竹炭                      Ｃ２チップ                    Ｃ３切れ目                    Ｋアンカーロープ            ＡＲ網袋                      ＮＢ機能性炭化水質浄化材      ＦＣＷＲスカム                    Ｓ過酸化カルシウム          Ｃａ（ＯＨ）２納豆菌                    Ｎ醤油粕                    ＮＳ粘土                      ＣＬ水溶性糊                  Ｇ赤潮                      ＲＴ青潮                      ＢＴ
【図１】
2006043671.tif 000003
【図２】
2006043671.tif 000004
【図３】
2006043671.tif 000005
【図４】
2006043671.tif 000006
【図５】
2006043671.tif 000007
【図６】
2006043671.tif 000008